(57)【要約】      （修正有）【課題】画像形成装置のシート搬送装置において、静電力をシートの搬送移動力に利用する転写前電極を構成することで装置の簡素化と小型化を実現し、多湿環境下やシート湿潤にも影響を受けず、また電子写真プロセスの転写領域でも適用できるようにする。【解決手段】給紙分離ローラ９で給紙されたシートを電子写真プロセス手段の感光体ドラム２まで搬送し、転写後のシートを定着器１３まで搬送するシート搬送ガイド１０によって長尺のシート搬送路が形成される。そのシート搬送ガイド１０は絶縁材による下側通壁１０と上側通壁３２で形成され、途中感光体ドラム２に対応する部分は転写分離部１１ａとして上側通壁が途切れている。その上下側通壁の対向搬送面に帯状電極が等間隔に配置され、順に電圧を印加して電荷パタ−ンを形成して電荷との間に静電気力を発生させる。その静電力を駆動力にしてシートを前進動させる転写前電極として構成する。【選択図】図１
2008150123.tif 000002
【特許請求の範囲】
【請求項１】
給紙部から給紙されたシートを電子写真プロセス手段に搬送し、該電子写真プロセス手段で形成したトナー像を転写プロセス領域においてシートに転写後、さらにそのシートを定着部にむけて搬送するシート搬送装置において、
シート搬送路を形成する絶縁体のシート搬送ガイドに複数の帯状電極が配置され、前記帯状電極に電圧を印加して発生させた静電力によってシートを搬送方向に移動させ、前記転写プロセス領域の搬送方向上流においてシートを搬送するために前記複数の帯状電極によってシートに与えられた電荷量を、前記転写プロセス領域に達する前に調整するための転写前電極を有することを特徴とするシート搬送装置。
【請求項２】
前記転写前電極によって電荷量が調整されたシートに、前記電子写真プロセス手段に形成されたトナー像を転写するための転写部と、
前記転写部によってトナーが転写されたシートを前記電子写真プロセス手段から分離する分離部と、
を有することを特徴とする請求項１に記載のシート搬送装置。
【請求項３】
前記転写前電極は、シートの電荷量を、ゼロまたはトナー極性の逆極性になるように調整することを特徴とする請求項１または２に記載のシート搬送装置。
【請求項４】
シ−トの表面電位の値を検知する電位測定手段を有し、
前記転写前電極には前記電位測定手段によって測定された電位に基づいた電圧が印加されることを特徴とする請求項１乃至３のいずれか１項に記載のシート搬送装置。
【請求項５】
前記シート搬送ガイドは上下対向する通壁間にシートを通過させ、通壁の対向内面に前記帯状電極が等間隔に設けられていることを特徴とする請求項１乃至４のいずれか１項に記載のシート搬送装置。
【請求項６】
請求項１乃至５のいずれか１項に記載のシート搬送装置を備え、電子写真プロセス手段で形成されたトナー像を前記シート搬送装置で搬送されてきたシートに転写するとともに、転写後のシートをさらに前記シート搬送装置によって定着部に搬送して定着処理を行うことを特徴とする画像形成装置。
【発明の詳細な説明】
【技術分野】
【０００１】
本発明は、電子写真方式やインクジェット記録方式を利用した複写機、ファクシミリ装置、プリンタおよび複合機（多機能複写機）などの画像形成装置に関し、その画像形成装置に装備されて記録紙などのシートを搬送するシート搬送装置に関する。
【背景技術】
【０００２】
紙幣などの現金を取り扱うＡＴＭ装置のように紙葉類を搬送するシート搬送装置が広く一般に使用されている。通常、そうしたシート搬送装置には搬送駆動源となるモータが備わり、この駆動モータから出力された回転動力を適宜減速して伝達する動力伝達装置が備わっている。
【０００３】
画像形成装置の場合、それに装備されるシート搬送装置は駆動モータや動力伝達装置による主機構のほか、無端状の搬送ベルトや搬送ローラなどの部材が付帯して備わることになる。そのため、シート搬送装置の小型化、ひいては画像形成装置本体の小型化にそれらベルトやローラなどの部材の存在が支障となっている。また一方で、画像形成装置のシート搬送装置では特に、搬送中にシートが紙詰まりを発生した場合、そのジャム処理に迅速に対処する必要がある。そこで、装置を小型化でき、安定した搬送性能が得られるものとして、ベルトやローラを用いない転写前電極を採用したシート搬送装置が提案されている。転写前電極は装置も簡素化され、静電引力や斥力を利用するのでジャムもおこりにくい。転写前電極を用いたシート搬送装置として知られるものに、間接的シート搬送方式と直接的シート搬送方式の２つがある。
【０００４】
前者の間接的シート搬送方式には、誘電体ベルトに被搬送材であるシートを吸着させた状態にして、その誘電体ベルトを転写前電極で駆動させてシートを搬送するものが提案されている（たとえば、特許文献１参照）。
【０００５】
また、シート搬送ガイドに電圧を印加して転写前電極として機能させ、搬送ローラ上のシートをその上から押圧ローラで押さえ込み、機械的な回転摩擦力でもってシートを搬送するシート搬送装置が提案されている（たとえば、特許文献２参照）。この場合、上記シート搬送ガイドはこの長手方向に複数の帯状電極が配列され、絶縁体で形成された固定子として作用させる。また、上記搬送ローラは絶縁体層上に抵抗体層を積層して成形された移動子として機能させる。
【０００６】
また、シートを絶縁性フィルムによるスペーサを介して移動子の上に載せ、その状態で搬送する転写前電極も提案されている（たとえば、特許文献３参照）。この場合、やはり帯状電極を配列したシート搬送ガイドを固定子として作用させ、絶縁性の薄葉体に抵抗体層を設けた移動子をそのシート搬送ガイドに接触させる。
【０００７】
一方、後者の直接的シート搬送方式に関するものとして、先に本出願人によって提案された駆動モータと転写前電極とを作動切替可能に組み合わせた画像形成装置およびシート搬送装置がある（たとえば、特許文献４参照）。転写前電極は静電力を利用するから、同じように静電力を利用する電子写真プロセスの特に転写領域では使用できない。したがって、その転写領域においては転写前電極から駆動モータの作動に切り替えるようにしたものである。
【０００８】
また、高湿度のためにシートと電極などの接地面との間の電気抵抗値が低くなり、シートに帯電した電荷が多量に漏れて駆動クーロン力が減少するとシート搬送速度が落ちるが、その問題の解決にむけても本出願人は提案している（たとえば、特許文献５参照）。すなわち、駆動クーロン力の低下でシート搬送速度が落ちたとき、その搬送速度の変動に対応させて像担持体である感光体ドラム周辺の適正なプロセス条件を設定する。たとえば、光量制御手段、帯電電圧制御手段、現像バイアス制御手段、転写電圧制御手段、そして分離電圧制御手段の少なくとも１つの制御手段によって制御を行う。それによってシート搬送速度の変動で画像の画質が低下するのを抑えるようにしている。
【０００９】
【特許文献１】特開平７−１７６５４号公報
【特許文献２】特開平６−２９８３９３号公報
【特許文献３】特許第２６３２４５２号公報
【特許文献４】特開平８−７３０６７号公報
【特許文献５】特開平８−１６６６９４号公報
【発明の開示】
【発明が解決しようとする課題】
【００１０】
ところで、間接的シート搬送方式としては、上記各特許文献からわかるように、ベルトやロ−ラによる機械的な摩擦回転力でシートを搬送する方式と、移動子を介在させてシートを搬送する方式に大きく別けることができる。摩擦回転力で搬送する方式では、ベルトとロ−ラはもとより、それら両部材を軸支する部材は必要で省くことができない。そのためにシート搬送装置を小型化することがむずかしい。また、移動子で搬送する方式の場合、搬送するシートの枚数に合わせて多数の移動子が必要となる。すなわち、搬送前に予めシートを移動子に重ねて載せるのであるが、特に大量の印刷ジョブで多数のシートが搬送される場合は移動子に載せる処理が大変でそれ用の処理装置を必要とする。加えて、搬送を終えたシートをいちいち移動子から剥離させる処理や付帯装置が必要となる。したがって、シート搬送装置の構造が非常に煩雑化する問題がある。
【００１１】
一方、直接的シート搬送方式についても次の問題点がある。駆動モータと静電力アクチュエータを作動切替可能に組み合わせた構造にあっては、やはり旧来の駆動モータを使用することで小型化を困難なものにしている。またこの場合、高湿度環境下でシートが吸湿状態になり、それによって変化する静電作用のク−ロン力に依存してシート搬送速度を制御している。したがって、高湿環境下やシート湿潤状態では印刷ジョブ時間が遅くなるため、できるだけ短時間処理が望まれる大量の印刷ジョブで多数のシートを扱う大型高速画像形成装置に採用されるシート搬送装置としては不利である。
【００１２】
このように、間接的・直接的シート搬送方式のいずれにあっても、装置は複雑化し、小型化を達成するには困難な問題が多い。また、シートが湿潤状態になるとシート搬送時間に影響を及ぼすといった問題についても根本的な解決とは成り得ない。また、何よりも電子写真プロセスの転写領域では静電力アクチュエータが使えないという問題を克服しなければならない。
【００１３】
本発明の目的は、静電力をシートの搬送力に利用する静電力アクチュエータ方式のシート搬送装置にあって、装置の簡素化と小型化を実現し、また電子写真プロセスの転写領域でも使用できるようにすることにある。
【課題を解決するための手段】
【００１４】
上記目的を達成するために、本発明のシート搬送装置は、給紙部から給紙されたシートを電子写真プロセス手段に搬送し、該電子写真プロセス手段で形成したトナー像を転写プロセス領域においてシートに転写後、さらにそのシートを定着部にむけて搬送するものにおいて、シート搬送路を形成する絶縁体のシート搬送ガイドに複数の帯状電極が配置され、前記帯状電極に電圧を印加して発生させた静電力によってシートを搬送方向に移動させ、前記転写プロセス領域の搬送方向上流においてシートを搬送するために前記複数の帯状電極によってシートに与えられた電荷量を、前記転写プロセス領域に達する前に調整するための転写前電極を有することを特徴とする。
【発明の効果】
【００１５】
本発明のシート搬送装置によれば、シートを移動させて搬送する駆動機構が転写前電極として機能するシート搬送ガイドを主体に構成されているので、旧来の駆動モータ、動力伝達機構、搬送ベルト、搬送ローラおよび軸支部材などが省ける。したがって、シート搬送装置全体の部品点数が大幅に削減され、簡素化されて小型化が可能となる。また、高湿環境下でシートが湿潤状態になることでシート搬送速度が遅くなるといった不具合も解消され、電子写真プロセス手段の転写領域でも静電力を利用した転写前電極としてシート搬送ガイドを機能させることができる利点がある。
【発明を実施するための最良の形態】
【００１６】
以下、本発明による実施形態のシート搬送装置ならびにこのシート搬送装置を装備する画像形成装置の実施形態について図を参照して詳述する。
【００１７】
（画像形成装置）
図１は、画像形成装置の一例を示すその構成の機能ブロック図である。装置本体は大別して原稿読取部１と、感光体ドラム２と、前露光部（照射装置）３と、帯電器４と、現像部（現像器）６と、そして制御部７などから構成されている。
【００１８】
原稿読取部１は原稿の画像を読み取って光像として出力する。この光像は以下の各機器からなる電子写真プロセス手段によって顕像化される。像担持体としての感光体ドラム２を有し、原稿読取部１からの光像によって潜像画像を形成する。前露光部３は感光体ドラム２の前の潜像画像を消去する。帯電器４は感光体ドラム２に帯電バイアス電圧を印加してドラム表面を均一に帯電させる。現像部６は感光体ドラム２上の潜像画像にトナーを現像する。制御部７を以上の各機器を含む画像形成装置本体のシステム全体の作動を統括して制御する。したがって、制御部７は、光量制御手段、帯電電圧制御手段、現像バイアス制御手段、転写電圧制御手段、分離電圧制御手段、シート位置計測手段、そして静電アクチュエ−タ印加電圧制御手段として機能する。
【００１９】
また、装置本体にはシートを給紙開始に備えて保管する給紙カセット８を備え、この給紙カセット８からシートを搬送部に送る給紙分離ローラ９を有している。
【００２０】
また、後述するシート搬送装置の要部として搬送路を形成するシート搬送ガイド１０を有している。このシート搬送ガイド１０はシートを給紙分離ローラ９から定着器１３にむけて搬送する長尺を有し、上側の通壁１１と下側の通壁３１，３２を絶縁材を用いて形成している。そうしたシート搬送ガイド１０に電圧を印加して静電力を発生させ、「転写前電極」として機能させることが本実施形態の要点となっている。
【００２１】
より詳しくは、図１に示すように、給紙分離ローラ９から感光体ドラム２に至るまでの全長区間が下側通壁１１と上側通壁３１，３２で形成され、この全長区間を第１転写前電極部として機能させる。その全長区間において、給紙分離ローラ９から感光体ドラム２までの区間は下側通壁１１と上側通壁３１で形成されて第２転写前電極部として機能させる。さらに、感光体ドラム２に臨んで上側通壁が途切れた部分においては下側通壁１１だけで構成され、その通壁部分は転写分離部１１ａとなっている。この転写分離部１１ａから下流側の区間で下側通壁１１と上側通壁３２で形成される部分が第３転写前電極部として機能する。
【００２２】
転写分離部１１ａだけの第３転写前電極部においては、搬送されてきたシートに感光体ドラム２上のトナー像を転写し、感光体ドラム２の表面からそのシートを剥離させる。図３以下に示すように、この第３転写前電極部を形成する転写分離部１１ａにおいては、転写電圧を印加する転写電極４２と、感光体ドラム２からシートを剥離するための分離電圧を印加する分離電極４３が設けられている。
【００２３】
トナー像が転写されたシートは下側通壁１１と上側通壁３２で形成された上記第２転写前電極部が機能してさらに下流側へと前進動し、定着器１３に送り込まれてトナー像を加熱および加圧して永久定着する。定着後のシートは定着器１３から排紙され、排紙トレイ１３で受けて溜められる。
【００２４】
再び図１において、３つの区間からなる第１〜第３転写前電極部は、それぞれ対応する駆動部１５，１２，１７からの作動オンオフ信号によって電圧印加などされて駆動される。また、ドラム駆動部１６は感光体ドラム２を一定速度で回転駆動させる。定着器駆動部１８は定着器１３を作動させる。また、搬送中のシートの表面電位を測定する表面電位センサ２０が配置され、搬送中のシートの移動を監視して検出するシート検知センサ２１〜２４もシート搬送ガイド１０の全長にわたって要所要所に配置されている。
【００２５】
第１〜第３転写前電極部として機能するシート搬送ガイド１０の下側通壁１１と上側通壁３１，３２は、図２（ａ）と図３以下の各図に示すように、対向内面の表面に搬送方向に沿って予め決められたピッチで帯状に電極が配置された絶縁体で構成されている。
【００２６】
この絶縁体で構成された下側通壁１１と上側通壁３１，３２によるシート搬送ガイド１０のことを、以下記述の便宜上、第１〜第３転写前電極部の「固定子１０」と記載する場合がある。したがって、シートがその固定子１０上に載置された状態で、その固定子１０に電圧Ｖ１，Ｖ２，Ｖ３が印加される。たとえば、図２（ａ）に示すように、電圧Ｖ１は＋１０００ボルト、電圧Ｖ２は−１０００ボルト、そして電圧Ｖ３は０ボルトにそれぞれ設定してある。
【００２７】
以上の構成によって、本実施形態の画像形成装置はつぎのように動作する。
【００２８】
感光体ドラム２は前露光部３で前露光によって表面が除電され、帯電器４で均一に帯電され、原稿読取部１からの光像が照射され潜像が形成される。潜像画像が形成された感光体ドラム２表面は現像部６でトナーが感光体ドラム２表面の潜像に付着しトナー像が形成される。その際、シートは給紙カセット８から給紙分離ローラ９で給紙され、第１および第２の区間の通壁３１において感光体ドラム２まで搬送される。転写分離領域１１近傍までシートが送られてくると、表面電位センサ２０にてそのシートの表面電位が測定され、シートの表面電位が「ゼロまたはトナー極性の逆極性」になるように固定子１０上の電極に電圧が印加される。転写分離部１１では感光体ドラム２に対向する固定子１０の転写電極に転写電圧が印加され、感光体ドラム２表面のトナー像がシート上に転写される。転写電極の次の電極に分離電圧が印加され、感光体ドラム２からシートを剥離させる。トナー像の載ったシートは第１〜第３転写前電極部を形成するシート搬送ガイド１０によって定着器１３に送られて画像を永久定着し、定着後は排紙トレイ１４に排出されて、印刷ジョブが終了する。
【００２９】
（シート搬送装置：第１の実施形態）
つぎに、図１および図２（ａ）〜（ｅ）を参照して、上記第１〜第３転写前電極部における構成とシート搬送動作について説明する。
【００３０】
シートが転写前電極の固定子１０として機能するシート搬送ガイド１０に達すると、その固定子１０に電圧Ｖ１，Ｖ２，Ｖ３が印加される。固定子１０上の各電極に電圧が印加されると、シート内にて電荷が移動して正（＋）極と負（−）極が帯状に帯電する。平衡した状態にあるとき、図２（ｂ）はシート内での電荷を仮想化して示している。また、図２（ｃ）に示すように、固定子１０の電極への印加電圧を変化させると、固定子１０の電極の電荷が瞬時に入れ替わるが、シート上の電荷は抵抗に妨げられてしばらく元の位置に留まる。すなわち、固定子１０である下側通壁１１とシートとの関係において、留まった電荷のために固定子１０の電極とシート内に現れた電荷間の作用によって、シートに垂直方向の反発力と右向き方向への推進力が発生する。結果、図２（ｄ）に示すように、シートは電極の１ピッチ分だけの距離を前進移動する。シートは、そうした推進力を繰り返し受けることで前進動する。また、同じく固定子１０である上側通壁３１，３２とシートとの関係においても、同様にシートに対して充電と移動のステップを繰り返すと、移動子としてのシートの連続的な前進動に変換される。
【００３１】
要約すれば、シート搬送ガイド１０は転写前電極の固定子として機能し、搬送されてきた移動子となるシート上に電荷を充電し、固定子側の電荷パタ−ンを移動させる。固定子側の電圧と移動子シート上に充電された電荷との間に静電力を発生させ、その静電力を駆動クーロン力として移動子のシートに付与して移動させる。
【００３２】
一般には、移動子の表面抵抗率が低すぎると、移動子が１ステップ移動する前に、移動子上に充電された電荷が消失してしまい、十分な駆動が行えない。逆に、表面抵抗率が高すぎると、移動子上の電荷充電に要する時間が長くなり、迅速な駆動を行うことができないとされる。
【００３３】
それに関しても、本実施形態によれば、下側通壁１１と上側通壁３１，３２が上下で対向するシート搬送ガイド１０を設けているので、転写前電極として有効に機能してシートに対する駆動力アップと電荷の充電時間を短縮できる。また、シートが湿度の影響で表面抵抗率に変動を生じている場合でも安定した駆動クーロン力が得られる。また、必要に応じて、対向した固定子に印加する電荷極性パタ−ンを変更し、つまり環境やシートの材質に応じて逆の極性あるいは配置電極の位相をずらす。それにより、シートの電荷と同極性にしてシートを対向する一方の固定子に押し付ける働きをさせたり、１ステップ移動距離を短く設定して、さらなる安定した駆動力を得ることも可能になる。
【００３４】
図３〜図６は、感光体ドラム２を中心とする電子写真プロセス手段において、感光体ドラム２からシートにトナー像を転写しかつシート分離する過程の構成を詳細に示している。
【００３５】
図３に示すように、感光体ドラム２に臨むシート搬送ガイド１０の転写分離部１１ａ（図１参照）においては、上側通壁が途切れ、シート搬送ガイド１０の下側通壁１１の搬送面に電極４１が設けられている。制御部７は、表面電位センサ（電位測定手段）２０にてシート上の電荷を検知しながら、電極４１にシートの表面電位が「ゼロまたはトナー極性の逆極性」になるように除電電圧を加えるように制御する。つまり、制御部７は、表面電位センサ２０にて検知したシート上の電荷に基づいて、シート上の電荷状態がトナー像の転写を妨げないような状態となるように電極４１に除電電圧を加えることでシートの電荷量を調整する。転写電極４２もまたシート搬送ガイド１０の下側通壁１１に設けられている。制御部７は、転写電極４２にトナーとは逆極性の転写電圧が印加するように制御し、トナーをシートに誘引して引き寄せる。つまり、シ−トが感光ドラム２に到達し感光ドラム２上のトナ−を転写するための画像転写タイミングで、制御部７は、トナーと逆極性の転写電圧が印加する。これによってトナーはシートに引き寄せられ、シ−ト上にトナ−が移動する。分離電極４３もまたシート搬送ガイド１０の下側通壁１１に設けられている。制御部７は、分離電極４３に静電分離可能となるような分離電圧を印加するように制御する。これによって、シ−トは感光ドラム２に吸着することなく、シ−ト搬送ガイド１０上を移動して行く。
【００３６】
図４〜図６において、感光体ドラム２からシートへの転写領域、感光体ドラム２からシートを分離する領域は定着前であって、画像を形成したトナーが静電的にシート上に付着しているだけである。したがって、付着しただけのトナーを散乱させずにシートを搬送するためには静電吸着させて保持する。図４に示すように、感光体ドラム２からシートへのトナー像転写が開始される転写領域では、シートの電荷（＋）と同極性の電荷（＋）が下側通壁１１の転写電極４２に転写電圧として印加される。図５に示すように、転写を終えたシートの先頭部分を感光体ドラム２から分離させるため、今度は分離電圧が下側通壁１１の分離電極４３に印加される。トナー像が載っていない部分のシートの先頭部が到達した個所の電極に駆動電荷が印加される。シート先頭部の通過はシート検知センサ２３によって検出される（図６参照）。トナー像が形成されて載っている部分のシートの電極に対しては、トナーと同極性の電荷のみを印加させる。下側通壁１１と上側通壁３２との間に入り込んだシートは、第２転写前電極部が機能して定着器１３へと搬送される。
【００３７】
以上の構成から本実施形態のシート搬送装置の作用および効果を次に列記する。
【００３８】
（１）シートはシート搬送ガイド１０が転写前電極として機能することによって前進方向に移動して搬送され、その間に転写分離部１１ａではトナー像が感光体ドラム２から転写され、転写されたシートを感光体ドラム２から剥離させる。
【００３９】
（２）従来の機械的回転摩擦力を利用したシート搬送装置にみられるように、シートがベルト、ローラ、ガイド部材、そして感光体ドラム周面にその都度接触することでシートの授受が行われるのに対して、そうしたシート授受がなくなる。そのため、シート突入時のショックや接触位置のズレによる転写画像の不良がないので、良画質が得られる。
【００４０】
（３）シート搬送ガイド１０におけるシートの搬送領域（上側通壁３１，３２部分）では、シートの表裏両面に対して転写前電極作用が見込まれるので、シートを搬送させる駆動力がアップし、また電荷充電時間も短縮される。そして、シートが湿度を含んで湿潤状態になってそれに影響されて表面抵抗率が変動した場合でも、安定したシート搬送駆動力を得ることができる。
【００４１】
（４）同じくシート搬送ガイド１０におけるシートの搬送領域において、対向する上側通壁３１，３２と下側通壁１１に帯状電極のピッチを交互にずらして配列することで、シートの電荷と同極性にしてシートが対向する相手側の通壁に押し付けられる。その働きによって１ステップ分の移動距離を短く設定でき、さらなる安定した駆動力が得られ、環境やシート材質に影響されない。
【００４２】
以上、本発明のシート搬送装置および画像形成装置の実施形態について説明されたが、それら実施形態に限定されるものではなく、本発明の主旨を逸脱しない範囲内であればその他の実施形態、応用例、変形例およびそれらの組み合わせも可能である。
【図面の簡単な説明】
【００４３】
【図１】本発明による実施形態のシート搬送装置が装備された画像形成装置を示す機能ブロック図。
【図２】同図（ａ）〜（ｅ）はシート搬送ガイドが転写前電極として機能してシートを前進動させる動作図。
【図３】本実施形態において転写と分離のプロセス部分におけるシートの流れを示す図。
【図４】同じく本実施形態の転写と分離のプロセス部分におけるシートの流れを示す図。
【図５】同じく本実施形態の転写と分離のプロセス部分におけるシートの流れを示す図。
【図６】同じく本実施形態の転写および分離領域から定着器までの搬送プロセス部分におけるシートの流れを示す図。
【符号の説明】
【００４４】
２                感光体ドラム（像担持体）
７                制御部
１０              シート搬送ガイド（「転写前電極」として機能）
１２，１５，１７  アクチュエータ駆動部
１３              定着器
２０              表面電位センサ（電位測定手段）
１１              下側通壁（シート搬送ガイド）
１１ａ            転写分離部
３１，３２        上側通壁（シート搬送ガイド）
４１              帯状電極
４２              転写電極
４３              分離電極
【図１】
2008150123.tif 000003
【図２】
2008150123.tif 000004
【図３】
2008150123.tif 000005
【図４】
2008150123.tif 000006
【図５】
2008150123.tif 000007
【図６】
2008150123.tif 000008